(57)【要約】【課題】版の数を減らしたり、作業工程を減らしたりすることにより、印刷コスト及び組立コストの低減を図る。【解決手段】複数のカラーバリエーションを有する製品のいずれか１つを梱包するための個装ケース１は、底板２と、天板３と、複数の側板４，５，…とを有する。第１及び第２側板４，５に第３側板６の内側に折り込まれる第１及び第２フラップ部４ａ，５ａを設ける。第１及び第２フラップ部４ａ，５ａの先端側に前後に重ね合わせた第１重複部８を形成するように互いに引っ掛け合う第１又は第２鉤部１０，１１をそれぞれ形成する。第１重複部８に複数のカラーバリエーションから選択された異なるカラー表示をそれぞれ印刷する。第３側板６におけるカラー表示１８に対応する部分に前側に位置する第１重複部８のカラー表示を露出させるための第１覗き窓１６を形成する。【選択図】図１
2007261629.tif 000002
【特許請求の範囲】
【請求項１】
複数のカラーバリエーションを有する製品のいずれか１つを梱包するための個装ケースであって、
底板と、天板と、複数の側板とを有し、
上記複数の側板は、連続する他の側板の内側に折り込まれるフラップ部を備え、
対向する一対の第１及び第２側板にそれぞれ連続して第３側板の内側に折り込まれる第１及び第２フラップ部の先端側には、前後に重ね合わせた重複部を形成するように互いに引っ掛け合う第１又は第２鉤部がそれぞれ形成され、
上記第１及び第２鉤部の重複部には、上記複数のカラーバリエーションから選択された異なるカラー表示がそれぞれ印刷され、
上記第３側板における上記カラー表示に対応する部分には、前側に位置する上記重複部のカラー表示を露出させるための覗き窓が形成されている
ことを特徴とする個装ケース。
【請求項２】
請求項１に記載の個装ケースにおいて、
上記第１及び第２側板にそれぞれ連続して上記第３側板に対向する第４側板の内側に折り込まれる第３及び第４フラップ部の先端側には、前後に重ね合わせた第２重複部を形成するように互いに引っ掛け合う第３又は第４鉤部がそれぞれ形成され、
上記第３鉤部の第２重複部には、上記第１及び第２鉤部の重複部に印刷されたカラー表示のいずれか一方が印刷され、上記第４鉤部の第２重複部には、該カラー表示の他方が印刷され、
上記第４側板における上記カラー表示に対応する部分にも、前側に位置する上記第２重複部のカラー表示を露出させるための第２覗き窓が形成されている
ことを特徴とする個装ケース。
【請求項３】
複数のカラーバリエーションを有する製品のいずれか１つを梱包するための個装ケースであって、
底板と、天板と、複数の側板とを有し、
上記複数の側板は、連続する他の側板の内側に折り込まれるフラップ部を備え、
対向する一対の第１及び第２側板にそれぞれ連続して第３側板の内側に折り込まれる第１及び第２フラップ部の先端側には、前後に重ね合わせた重複部を形成するように互いに引っ掛け合う第１又は第２鉤部がそれぞれ形成され、
上記第１及び第２鉤部の重複部には、上記複数のカラーバリエーションから選択された異なるカラー表示がそれぞれ印刷され、
上記第３側板における上記カラー表示に対応する部分には、前側に位置する上記重複部のカラー表示を露出させる覗き窓を形成するためのミシン目が設けられ、
上記ミシン目で囲まれた部分には、上記第１及び第２鉤部の重複部に印刷されたカラー表示とは異なるカラー表示が印刷されている
ことを特徴とする個装ケース。
【請求項４】
請求項３に記載の個装ケースにおいて、
上記第１及び第２側板にそれぞれ連続して上記第３側板に対向する第４側板の内側に折り込まれる第３及び第４フラップ部の先端側には、前後に重ね合わせた第２重複部を形成するように互いに引っ掛け合う第３又は第４鉤部がそれぞれ形成され、
上記第３鉤部の第２重複部には、上記第１及び第２鉤部の重複部に印刷されたカラー表示のいずれか一方が印刷され、上記第４鉤部の第２重複部には、該カラー表示の他方が印刷され、
上記第３側板における上記カラー表示に対応する部分には、前側に位置する上記第２重複部のカラー表示を露出させる第２覗き窓を形成するための第２ミシン目が設けられ、
上記第２ミシン目で囲まれた部分には、上記第３及び第４鉤部の第２重複部に印刷されたカラー表示とは異なるカラー表示が印刷されている
ことを特徴とする個装ケース。
【請求項５】
請求項１乃至４のいずれか１つに記載の個装ケースにおいて、
紙製のシートより形成される
ことを特徴とする個装ケース。
【発明の詳細な説明】
【技術分野】
【０００１】
製品の個装ケース及びその製造方法に関し、特にその印刷コスト及び組立作業コストの低減に関する。
【背景技術】
【０００２】
従来、製品を生産する場合、様々な色調の製品が生産され、その製品のいずれか１つを梱包する個装ケースには、製品の色調を表す表示が印刷されている。通常、各々の色調毎の個装ケースが製作されているが、色調の数だけの版が必要で、更にはロット数が少なくなるのでコストアップにつながる。
【０００３】
例えば、図８に示すように、全ての色調名を表示するカラー表示７１０を印刷しておいて、どの色の製品が梱包されているかを表すために、製品梱包後に色調の傍にマーキング７１１が施されることもある。この場合、マーキング７１１をする作業が増えるので、コストアップにつながる。
【０００４】
また、図９に示すように、製品と同じ色調の印刷色のマーキング８１０を印刷することもある。この場合、色調の数だけの版が必要で、更にはロット数が少なくなるのでコストアップにつながる。
【０００５】
例えば、特許文献１では、内部に複数の包装箱を収納するための集合包装箱であって、該包装箱に印刷された事項を外部から見るための孔が設けられたものが開示されている。この集合包装箱では、該集合包装箱とそれに収納される包装箱との両方に同じ印刷をする必要がなく、包装箱に所定の事項を印刷しておけば、その印刷が集合包装箱の外からも見ることができ、印刷コストを低減できることが知られている。
【特許文献１】特開２０００−１６８７８６号公報
【発明の開示】
【発明が解決しようとする課題】
【０００６】
しかし、従来の集合包装箱においても、それぞれの包装箱の定まった位置に梱包する製品のカラー表示を印刷又はマーキングする必要があるので、包装箱のロット数が少なくなったり、作業工数が増えたりしてコストアップにつながる。
【０００７】
本発明は、かかる点に鑑みてなされたものであり、その目的とするところは、梱包する製品のカラーを表示する方法に工夫を加え、版の数を減らしたり、作業工程を減らしたりすることにより、印刷コスト及び組立コストの低減を図ることにある。
【課題を解決するための手段】
【０００８】
上記課題を解決するために、第１の発明では、複数のカラーバリエーションを有する製品のいずれか１つを梱包するための個装ケースを対象とする。
【０００９】
そして、上記個装ケースは、底板と、天板と、複数の側板とを有し、
上記複数の側板は、連続する他の側板の内側に折り込まれるフラップ部を備え、
対向する一対の第１及び第２側板にそれぞれ連続して第３側板の内側に折り込まれる第１及び第２フラップ部の先端側には、前後に重ね合わせた重複部を形成するように互いに引っ掛け合う第１又は第２鉤部がそれぞれ形成され、
上記第１及び第２鉤部の重複部には、上記複数のカラーバリエーションから選択された異なるカラー表示がそれぞれ印刷され、
上記第３側板における上記カラー表示に対応する部分には、前側に位置する上記重複部のカラー表示を露出させるための覗き窓が形成されている。
【００１０】
上記の構成によると、予め第１及び第２鉤部の重複部に異なるカラー表示をそれぞれ印刷し、底板、天板、側板及びフラップ部を形成する際の切断工程と同時に、第１及び第２フラップ部が内側に折り込まれる第３側板に覗き窓を形成し、個装ケースを折り畳む際に、梱包する製品のカラー表示を印刷した鉤部が前面に来るように第１及び第２鉤部を引っ掛けただけで、覗き窓からカラー表示を見ることができるので、梱包する製品のカラーに合わせて別途印刷工程や目印を付けるなどの余計な工程を増やすことなく、どのカラーの製品が梱包されているかが表示される。
【００１１】
第２の発明では、上記第１及び第２側板にそれぞれ連続して上記第３側板に対向する第４側板の内側に折り込まれる第３及び第４フラップ部の先端側には、前後に重ね合わせた第２重複部を形成するように互いに引っ掛け合う第３又は第４鉤部がそれぞれ形成され、
上記第３鉤部の第２重複部には、上記第１及び第２鉤部の重複部に印刷されたカラー表示のいずれか一方が印刷され、上記第４鉤部の第２重複部には、該カラー表示の他方が印刷され、
上記第４側板における上記カラー表示に対応する部分にも、前側に位置する上記第２重複部のカラー表示を露出させるための第２覗き窓が形成されている。
【００１２】
上記の構成によると、第３側板に対向する第４側板における第２覗き窓からも梱包する製品のカラー表示を見ることができるので、個装ケースの向きを考慮せず、倉庫等に保管したり、陳列したりしても、色調の判断が可能になる。
【００１３】
第３の発明では、複数のカラーバリエーションを有する製品のいずれか１つを梱包するための個装ケースを対象とする。
【００１４】
そして、上記個装ケースは、底板と、天板と、複数の側板とを有し、
上記複数の側板は、連続する他の側板の内側に折り込まれるフラップ部を備え、
対向する一対の第１及び第２側板にそれぞれ連続して第３側板の内側に折り込まれる第１及び第２フラップ部の先端側には、前後に重ね合わせた重複部を形成するように互いに引っ掛け合う第１又は第２鉤部がそれぞれ形成され、
上記第１及び第２鉤部の重複部には、上記複数のカラーバリエーションから選択された異なるカラー表示がそれぞれ印刷され、
上記第３側板における上記カラー表示に対応する部分には、前側に位置する上記重複部のカラー表示を露出させる覗き窓を形成するためのミシン目が設けられ、
上記ミシン目で囲まれた部分には、上記第１及び第２鉤部の重複部に印刷されたカラー表示とは異なるカラー表示が印刷されている。
【００１５】
上記の構成によると、予め第１及び第２鉤部の重複部に異なるカラー表示をそれぞれ印刷し、底板、天板、側板及びフラップ部を形成する際の切断工程と同時に、第１及び第２フラップ部が内側に折り込まれる第３側板に覗き窓を形成するためのミシン目を設け、個装ケースを折り畳む際に、梱包する製品の色が、第１又は第２鉤部に印刷したものであるときには、カラー表示を印刷した鉤部が前面に来るように第１及び第２鉤部を引っ掛けると共に、ミシン目を破断して覗き窓を形成することにより、覗き窓からカラー表示を見ることができる。一方、梱包する製品の色が、ミシン目で囲まれた部分に印刷したものであるときには、ミシン目を破断しないことにより、梱包する製品がミシン目で囲まれた部分のカラーであることを示すことができる。したがって、梱包する製品のカラーに合わせて別途印刷工程や目印を付けるなどの余計な工程を増やすことなく、どのカラーの製品が梱包されているかが表示される。
【００１６】
第４の発明では、上記第１及び第２側板にそれぞれ連続して上記第３側板に対向する第４側板の内側に折り込まれる第３及び第４フラップ部の先端側には、前後に重ね合わせた第２重複部を形成するように互いに引っ掛け合う第３又は第４鉤部がそれぞれ形成され、
上記第３鉤部の第２重複部には、上記第１及び第２鉤部の重複部に印刷されたカラー表示のいずれか一方が印刷され、上記第４鉤部の第２重複部には、該カラー表示の他方が印刷され、
上記第３側板における上記カラー表示に対応する部分には、前側に位置する上記第２重複部のカラー表示を露出させる第２覗き窓を形成するための第２ミシン目が設けられ、
上記第２ミシン目で囲まれた部分には、上記第３及び第４鉤部の第２重複部に印刷されたカラー表示とは異なるカラー表示が印刷されている。
【００１７】
上記の構成によると、第３側板に対向する第４側板における第２ミシン目で囲まれた部分又は第２覗き窓からも梱包する製品のカラー表示を知ることができるので、個装ケースの向きを考慮せず、倉庫等に保管したり、陳列したりしても、色調の判断が可能になる。
【００１８】
第５の発明では、個装ケースは、紙製のシートより形成されるものとする。
【００１９】
上記の構成により、切断する際に覗き窓やミシン目が容易に形成される上、ミシン目も破断しやすく、かつリサイクルの面で有利である。
【発明の効果】
【００２０】
以上説明したように、本発明によれば、梱包する製品のカラーを確認するための覗き窓やミシン目を、製品の切断工程において形成することにより、印刷版、印刷工程、単価、作業労賃等におけるコストの低減を図ることができる。
【発明を実施するための最良の形態】
【００２１】
以下、図面を参照して本発明の実施形態を説明する。
（実施形態１）
図１は、本発明の実施形態１にかかる個装ケースの展開図である。図２は、本発明の実施形態１にかかる個装ケースの第１フラップ部が前側に来るように組み立てた状態を第３側板側から見た斜視図である。図３は、第１及び第２フラップ部を第１フラップ部が前側に来るように引っ掛ける場合に関し、（ａ）は引っ掛ける前の斜視図であり、（ｂ）は引っ掛けた後の正面図である。図４は、第１及び第２フラップ部を第１フラップ部が前側に来るように引っ掛ける場合に関し、（ａ）は引っ掛ける前の斜視図であり、（ｂ）は引っ掛けた後の正面図である。図５は、本発明の実施形態１にかかる個装ケースの第２フラップ部が前側に来るように組み立てた状態を第３側板側から見た斜視図である。
【００２２】
図１及び図２に示すように、個装ケース１は、複数のカラーバリエーション（本実施形態では、例えば、黒・赤の二色）を有する製品（図示せず）のいずれかを梱包するための紙製容器である。
【００２３】
上記個装ケース１は、底板２と、天板３と、第１〜第４側板４，５，…とを備えた直方体形状を有している。対向する位置に配置される第１及び第２側板４，５は、連続する他の第３及び第４側板６，７の内側に折り込まれる第１〜第４フラップ部４ａ，４ｂ，５ａ，５ｂをそれぞれの左右端部に備えている。本実施形態では、第２側板５と天板３とが連続している。
【００２４】
図３に示すように、第１及び第２フラップ部４ａ，５ａの先端側には、前後に重ね合わせた第１重複部８（図３（ｂ）に斜線で示す）を形成するように互いに引っ掛け合う第１又は第２鉤部１０，１１がそれぞれ形成されている。具体的には、第１フラップ部４ａの先端側は、上側が切り欠かれ、上下方向中央部から上側に膨出する第１鉤部１０が形成されている。第２フラップ部５ａの先端側は、下側が切り欠かれ、下方向中央部から下側に膨出する第２鉤部１１が形成されている。
【００２５】
上記第１鉤部１０の第１重複部８には、例えば、黒のカラー表示１８が印刷され、第２鉤部１１の第１重複部８には、赤のカラー表示１８が印刷されている。これらのカラー表示１８は、第１及び第２鉤部１１を引っ掛けたときに、正面から見て重なる位置に印刷されている。したがって、第１鉤部１０が前側に来る場合には、黒のカラー表示１８が現れ、第２鉤部１１が前側に来る場合には、同じ位置に赤のカラー表示１８が現れるようになっている。
【００２６】
図２に示すように、上記第３側板６における上記第１重複部８のカラー表示１８に対応する部分には、円形の第１覗き窓１６が形成されている。このことで、第１覗き窓１６から、前側に位置する第１重複部８のカラー表示１８が露出するようになっている。
【００２７】
同様に、図１に示すように、第３側板６に対向する第４側板７の内側に折り込まれる第３及び第４フラップ部４ｂ，５ｂの先端側には、前後に重ね合わせた第２重複部（図示せず）を形成するように互いに引っ掛け合う第３又は第４鉤部１２，１３がそれぞれ形成されている。具体的には、第３フラップ部４ｂの先端側は、上側が切り欠かれ、上下方向中央部から上側に膨出する第３鉤部１２が形成されている。第４フラップ部５ｂの先端側は、下側が切り欠かれ、下方向中央部から下側に膨出する第４鉤部１３が形成されている。
【００２８】
同様に上記第３鉤部１２の第２重複部には、黒のカラー表示１８が印刷され、第４鉤部１３の第２重複部には、赤のカラー表示１８が印刷されている。これらのカラー表示１８は、第３及び第４鉤部１３を引っ掛けたときに、正面から見て重なる位置に印刷されている。したがって、第３鉤部１２が前側に来る場合には、黒のカラー表示１８が現れ、第４鉤部１３が前側に来る場合には、同じ位置に赤のカラー表示１８が現れるようになっている。
【００２９】
上記第４側板７における上記第２重複部のカラー表示１８に対応する部分にも、円形の第２覗き窓１７が形成されている。このことで、第２覗き窓１７から、前側に位置する第２重複部のカラー表示１８が露出するようになっている。
【００３０】
−個装ケースの製造方法−
次に本実施形態にかかる個装ケース１の製造方法について説明する。
【００３１】
図１に示すように、予め、印刷工程において、他の印刷と共に、１枚のシート２０における第１鉤部１０の第１重複部８及び第３鉤部１２の第２重複部に黒のカラー表示１８を印刷し、第２鉤部１１の第１重複部８及び第４鉤部１３の第２重複部に赤のカラー表示１８を印刷する。
【００３２】
次いで、切断工程において、上記１枚のシート２０から底板２、第１〜第４側板４，５，…、天板３、第１〜第４フラップ部４ａ，４ｂ，５ａ，５ｂ等を切断して形成する。このとき、本実施形態の特徴として、同時に第３側板６における第１重複部８のカラー表示１８に対応する部分に第１覗き窓１６を形成すると共に、第４側板７における第２重複部のカラー表示１８に対応する部分に第２覗き窓１７を形成する。
【００３３】
次いで、黒色の製品を梱包するための個装ケース１を用意する場合には、図３に示すように、個装ケース１を折り畳む際に、第１鉤部１０が前面に来るように第１及び第２鉤部１０，１１を引っ掛けると共に、第３鉤部１２が前面に来るように第３及び第４鉤部１２，１３を引っ掛ける。このことにより、図２に示すように、第１及び第２覗き窓１６，１７からカラー表示１８を見ることができるので、梱包する製品のカラーに合わせて別途印刷工程や目印を付けるなどの余計な工程を増やすことなく、どのカラーの製品が梱包されているかが表示される。
【００３４】
また、第３側板６及び第４側板７のいずれからも梱包する製品のカラー表示１８を見ることができるので、個装ケース１の向きを考慮せず、倉庫等に保管したり、陳列したりしても、色調の判断が可能になる。
【００３５】
一方、赤色の製品を梱包するための個装ケース１を用意する場合には、図４に示すように、個装ケース１を折り畳む際に、第２鉤部１１が前面に来るように第１及び第２鉤部１０，１１を引っ掛けると共に、第４鉤部１３が前面に来るように第３及び第４鉤部１２，１３を引っ掛ければよい。すると、図５に示すように、第１覗き窓１６から赤のカラー表示１８を見ることができる。
【００３６】
したがって、本実施形態にかかる個装ケース１及びその製造方法によると、梱包する製品のカラーに合わせて別途印刷工程や目印を付けるなどの余計な工程を増やすことなく、どのカラーの製品が梱包されているかが表示される。
【００３７】
また、個装ケース１を紙製のシート２０より形成したことにより、切断する際に第１及び第２覗き窓１６，１７が容易に形成される上、リサイクルの面で有利である。
【００３８】
−実施形態１の変形例−
上記実施形態では、第３側板６及び第４側板７のいずれからも梱包する製品のカラー表示１８を見ることができるようにしたが、第３側板６又は第４側板７のいずれか一方にのみ覗き窓を形成し、その覗き窓からカラー表示１８を確認するようにしてもよい。
【００３９】
（実施形態２）
図６及び図７は本発明の実施形態２を示し、第１及び第２覗き窓を形成する部分にミシン目を設ける点で上記実施形態１と異なる。図１乃至図５と同じ部分には、同じ符号を付してその説明は省略する。
【００４０】
図６は、本発明の実施形態２にかかる個装ケースの展開図である。図７は、本発明の実施形態１にかかる個装ケースの組み立てた状態を第３側板側から見た斜視図である。
【００４１】
図６及び図７に示すように、個装ケース１は、複数のカラーバリエーション（本実施形態では、例えば、黒・赤・青の三色）を有する製品（図示せず）のいずれかを梱包するための紙製容器である。
【００４２】
本実施形態の特徴として、図６に示すように、上記第３側板６における上記第１重複部８のカラー表示１８に対応する部分には、円形の第１ミシン目２１が形成されている。第１ミシン目２１で囲まれた部分には、第１及び第２鉤部１０，１１の第１重複部８に印刷されたカラー表示１８とは異なる表面側カラー表示１９（本実施形態では、青）が印刷されている。このことで、第１ミシン目２１を破断したときには、第１覗き窓１６が形成され、この第１覗き窓１６から前側に位置する第１重複部８のカラー表示１８が露出するようになっている。
【００４３】
同様に、上記第４側板７における上記第２重複部のカラー表示１８に対応する部分には、円形の第２ミシン目２２が形成されている。第２ミシン目２２で囲まれた部分にも、第３及び第４鉤部１２，１３の第２重複部に印刷されたカラー表示１８とは異なる表面側カラー表示１９（本実施形態では、青）が印刷されている。このことで、第２ミシン目２２を破断したときには、第２覗き窓１７が形成され、この第２覗き窓１７から、前側に位置する第２重複部のカラー表示１８が露出するようになっている。
【００４４】
−個装ケースの製造方法−
次に本実施形態にかかる個装ケース１の製造方法について実施形態１と異なる部分についてのみ説明する。
【００４５】
切断工程において、上記１枚のシート２０から底板２、第１〜第４側板４，５，…、天板３、第１〜第４フラップ部４ａ，４ｂ，５ａ，５ｂ等を切断して形成する。このとき、本実施形態の特徴として、同時に第３側板６における第１重複部８のカラー表示１８に対応する部分に第１ミシン目２１を形成すると共に、第４側板７における第２重複部のカラー表示１８に対応する部分に第２ミシン目２２を形成する。
【００４６】
次いで、黒色の製品を梱包するための個装ケース１を用意する場合には、個装ケース１を折り畳む際に、第１鉤部１０が前面に来るように第１及び第２鉤部１０，１１を引っ掛けると共に、第３鉤部１２が前面に来るように第３及び第４鉤部１２，１３を引っ掛ける。更に第１及び第２ミシン目２１，２２を破断して第１及び第２覗き窓１６，１７を形成する。このことにより、第１及び第２覗き窓１６，１７からカラー表示１８又は表面側カラー表示１９を見ることができるので、梱包する製品のカラーに合わせて別途印刷工程や目印を付けるなどの余計な工程を増やすことなく、どのカラーの製品が梱包されているかが表示される。
【００４７】
一方、赤色の製品を梱包するための個装ケース１を用意する場合には、個装ケース１を折り畳む際に、第２鉤部１１が前面に来るように第１及び第２鉤部１０，１１を引っ掛けると共に、第４鉤部１３が前面に来るように第３及び第４鉤部１２，１３を引っ掛ければよい。
【００４８】
更に青色の製品を梱包するための個装ケース１を用意する場合には、第１及び第２ミシン目２１，２２を破断しないことにより、その表面側カラー表示１９が残るため、この表面側カラー表示１９から梱包された商品の色を判断することができる。
【００４９】
したがって、本実施形態にかかる個装ケース１及びその製造方法によると、梱包する製品のカラーに合わせて別途印刷工程や目印を付けるなどの余計な工程を増やすことなく、どのカラーの製品が梱包されているかが表示される。
【００５０】
また、第３側板６及び第４側板７のいずれからも梱包する製品のカラー表示１８又は表面側カラー表示１９を見ることができるので、個装ケースの向きを考慮せず、倉庫等に保管したり、陳列したりしても、色調の判断が可能になる。
【００５１】
また、個装ケース１を紙製のシート２０より形成したことにより、切断する際に第１及び第２覗き窓１６，１７や第１及び第２ミシン目２１，２２が容易に形成される上、第１及び第２ミシン目２１，２２も破断しやすく、かつリサイクルの面で有利である。
【００５２】
−実施形態２の変形例−
上記実施形態では、第３側板６及び第４側板７のいずれからも梱包する製品のカラー表示１８又は表面側カラー表示１９を見ることができるようにしたが、第３側板６又は第４側板７のいずれか一方にのみミシン目を形成し、そのミシン目に表面側カラー表示１９を設けるようにしてもよい。
【００５３】
（その他の実施形態）
本発明は、上記実施形態について、以下のような構成としてもよい。
【００５４】
すなわち、上記実施形態１乃至３において、図示はしないが、印刷色赤、黒、青の代わりに梱包された内容物を印刷し、何が同梱されているかの表示に使用してもよい。
【００５５】
同梱物は、例えば携帯電話機であれば、携帯電話機本体、充電器、イヤホンマイク端子、取り扱い説明書、ストラップ等の同梱物を表示してもよい。
【００５６】
なお、以上の実施形態は、本質的に好ましい例示であって、本発明、その適用物や用途の範囲を制限することを意図するものではない。
【図面の簡単な説明】
【００５７】
【図１】本発明の実施形態１にかかる個装ケースの展開図である。
【図２】本発明の実施形態１にかかる個装ケースの第１フラップ部が前側に来るように組み立てた状態を第３側板側から見た斜視図である。
【図３】第１及び第２フラップ部を第１フラップ部が前側に来るように引っ掛ける場合に関し、（ａ）は引っ掛ける前の斜視図であり、（ｂ）は引っ掛けた後の正面図である。
【図４】第１及び第２フラップ部を第２フラップ部が前側に来るように引っ掛ける場合に関し、（ａ）は引っ掛ける前の斜視図であり、（ｂ）は引っ掛けた後の正面図である。
【図５】本発明の実施形態１にかかる個装ケースの第２フラップ部が前側に来るように組み立てた状態を第３側板側から見た斜視図である。
【図６】本発明の実施形態２にかかる個装ケースの展開図である。
【図７】本発明の実施形態２にかかる個装ケースの組み立てた状態を第３側板側から見た斜視図である。
【図８】従来技術の個装ケースの展開図である。
【図９】更には別の従来技術の個装ケースの展開図である。
【符号の説明】
【００５８】
１      個装ケース
２      底板
３      天板
４      第１側板
４ａ    第１フラップ部
４ｂ    第３フラップ部
５      第２側板
５ａ    第２フラップ部
５ｂ    第４フラップ部
６      第３側板
７      第４側板
８      第１重複部
９      第２重複部
１０      第１鉤部
１１      第２鉤部
１２      第３鉤部
１３      第４鉤部
１６      覗き窓
１７      覗き窓
１８      カラー表示
１９      表面側カラー表示
２０      シート
２１      第１ミシン目
２２      第２ミシン目
【図１】
2007261629.tif 000003
【図２】
2007261629.tif 000004
【図３】
2007261629.tif 000005
【図４】
2007261629.tif 000006
【図５】
2007261629.tif 000007
【図６】
2007261629.tif 000008
【図７】
2007261629.tif 000009
【図８】
2007261629.tif 000010
【図９】
2007261629.tif 000011